(57)【要約】【課題】表示部裏面と本体部底面とが互いに接するようにした状態で携帯し、タッチパネルからのペン入力だけで使用する場合などに、持ち手の指がキーボードに触れてキートップがへこんでしまう違和感のない情報処理装置を提供する。【解決手段】表示手段を有する表示部１０１と、キーボード１０６を有する本体部１０２と、表示部１０１と本体部１０２を開閉可能に連結する中間部品部１０３と、表示部１０１と本体部１０２の開閉角度に応じてキーボード１０６のキーストロークの深さを可変させるキーストローク可変手段を備えた情報処理装置１において、前記開閉角度が所定角度以上になると前記キーストロークの深さを最小量とする。【選択図】  図２
2004227420.tif 000002
【特許請求の範囲】
【請求項１】
表示手段を有する表示部と、
キーボードを有する本体部と、
前記表示部と前記本体部を開閉可能に連結する中間部品部と、
前記表示部と前記本体部の開閉角度に応じて前記キーボードのキーストロークの深さを可変させるキーストローク可変手段を備えた情報処理装置において、
前記開閉角度が所定角度以上のときに前記キーストロークの深さを最小量とすることを特徴とする情報処理装置。
【請求項２】
表示手段を有する表示部と、
キーボードを有する本体部と、
前記表示部と前記本体部を開閉可能に連結する中間部品部と、
前記表示部と前記本体部の開閉角度に応じて前記キーボードのキーストロークの深さを可変させるキーストローク可変手段を備えた情報処理装置において、
前記開閉角度が第１の所定角度以下のとき、および、前記開閉角度が第２の所定角度以上のときに前記キーストロークの深さを最小量とすることを特徴とする情報処理装置。
【請求項３】
表示手段を有する表示部と、
キーボードを有する本体部と、
前記表示部と前記本体部を開閉可能に連結する中間部品部と、
前記表示部と前記本体部の開閉角度に応じて前記キーボードのキーストロークの深さを可変させるキーストローク可変手段を備えた情報処理装置において、
前記開閉角度が第１の所定角度未満のときは前記キーストロークの深さを最小量とし、
前記開閉角度が第１の所定角度以上で第２の所定角度未満のときは前記キーストロークの深さを前記開閉角度に応じて最小量から最大量まで変化させ、
前記開閉角度が第２の所定角度以上で第３の所定角度未満のときは前記キーストロークの深さを最大量とし、
前記開閉角度が第３の所定角度以上で第４の所定角度未満のときは前記キーストロークの深さを前記開閉角度に応じて最大量から最小量まで変化させ、
前記開閉角度が第４の所定角度以上のときは前記キーストロークの深さを最小量とすることを特徴とする情報処理装置。
【請求項４】
前記表示部の開閉角度を検出する検出手段と、
前記キーボードの入力を制御するキーボード入力制御手段とを備え、
前記開閉角度が第５の所定角度以下のとき、および、前記開閉角度が前記第６の所定角度以上のときに、前記キーボード入力制御手段により前記キーボードからのキー入力を無効にすることを特徴とする請求項１ないし３のいずれか１項に記載の情報処理装置。
【請求項５】
前記表示部の上面に入力装置としてのタッチパネルを備えたことを特徴とする請求項１ないし４のいずれか１項に記載の情報処理装置。
【請求項６】
前記表示部の上面に入力装置としてのタッチパネルを備えるとともに、
前記表示部の開閉角度を検出する検出手段を備え、
前記開閉角度が第５の所定角度以上のときに前記タッチパネルからの入力を有効とすることを特徴とする請求項１ないし３のいずれか１項に記載の情報処理装置。
【請求項７】
前記表示部の上面に入力装置としてのタッチパネルを備え、
前記開閉角度が第７の所定角度以上のときに前記タッチパネルからの入力を有効とすることを特徴とする請求項４に記載の情報処理装置。
【請求項８】
前記キーストローク可変手段は、
前記キーボードのキートップを昇降させるキートップ昇降手段を有し、
前記開閉角度に応じて前記キーボードのキートップを昇降させることにより、前記キーストロークの深さを可変させることを特徴とする請求項１ないし７のいずれか１項に記載の情報処理装置。
【請求項９】
前記キーストローク可変手段は、
前記キーボードのキートップを昇降させるキートップ昇降手段と、
前記キートップ昇降手段の昇降範囲を制限するキートップ昇降範囲制限手段と、
前記キートップ昇降範囲制限手段を昇降させる昇降手段とを有し、
前記開閉角度に応じて前記昇降手段を昇降させることにより、前記キーボードのキートップの昇降範囲の最降位置を変化させて、前記キーストロークの深さを可変させることを特徴とする請求項１ないし７のいずれか１項に記載の情報処理装置。
【請求項１０】
前記キーストローク可変手段は、
前記表示部の開閉に応じて回転する第１の回転軸と、
前記本体部に配置された第２の回転軸と、
前記第１の回転軸の回転を前記第２の回転軸に伝達する第１の伝達手段と、
前記第２の回転軸の回転を前記キートップ昇降手段に伝達する第２の伝達手段とを備えていることを特徴とする請求項８に記載の情報処理装置。
【請求項１１】
前記キーストローク可変手段は、
前記表示部の開閉に応じて回転する第１の回転軸と、
前記本体部に配置された第２の回転軸と、
前記第１の回転軸の回転を前記第２の回転軸に伝達する第１の伝達手段と、
前記第２の回転軸の回転を前記昇降手段に伝達する第２の伝達手段とを備えていることを特徴とする請求項９に記載の情報処理装置。
【請求項１２】
前記第１の伝達手段は、複数のギアを有することを特徴とする請求項１０または１１に記載の情報処理装置。
【請求項１３】
前記複数のギアは、
前記第１の回転軸に連結された第１のギアと、
前記第２の回転軸に連結され、前記第１のギアとかみあう第２のギアとから構成されることを特徴とする請求項１２に記載の情報処理装置。
【請求項１４】
前記複数のギアは、
前記第１の回転軸に連結された第１の傘歯車と、
前記第２の回転軸に連結された第２の傘歯車と、
前記第１の回転軸および前記第２の回転軸のいずれにも直交する方向の第３の回転軸に連結され、前記第１のギアと直交方向にかみあうとともに、前記第２のギアとも直行方向にかみあう第３の傘歯車とから構成されることを特徴とする請求項１２に記載の情報処理装置。
【請求項１５】
前記第１の伝達手段は、回転力を任意の方向に向きを変えて自由に伝達可能な可撓軸であることを特徴とする請求項１０または１１に記載の情報処理装置。
【発明の詳細な説明】
【０００１】
【発明の属する技術分野】
本発明は、携帯型の情報処理装置に関し、特に、キーボード入力だけでなく、ペン入力も可能な携帯型の情報処理装置に関するものである。
【０００２】
【従来の技術】
＜表示部と本体部の開閉角度に応じた制御＞
キーボード入力だけでなく、表示部上を専用のペンで直接指示できるタッチパネルからのペン入力機能を併せ持った携帯型情報端末が各社より多数商品化されている。その中には、本体部に対して表示部を３６０度回転可能なヒンジ機構を持っていて、机やひざの上に置いてノートパソコンのように使用できるとともに、表示部を折りたたんで携帯しながらタッチパネルからのペン入力だけで使用することも可能な携帯型の情報処理装置がある。このような従来技術の例を、図１１を参照して説明する。
【０００３】
図１１は従来技術における表示部１１が３６０度回転可能な携帯型の情報処理装置１０を側面から見た概観図であり、表示部１１が閉じている状態から徐々に開いて、３６０度回転させた状態になるまでの推移を示している。図１１（ａ）は表示部１１が閉じている状態を、図１１（ｂ）は表示部１１の開閉角度が９０度を少し越えた状態を、図１１（ｃ）は表示部１１の開閉角度が１８０度の状態を、図１１（ｄ）は表示部１１の開閉角度が２７０度を越えた状態を、図１１（ｅ）は表示部１１の開閉角度が３６０度の状態を示している。
【０００４】
この携帯型の情報処理装置１０は、上面が長方形で高さの低い箱型形状の表示部１１と、この表示部１１とほぼ同一形状の本体部１２と、表示部１１の下側端部と本体部１２の背側端部とをそれぞれ開閉可能に連結する中間部品部１３とで構成されており、図１１（ａ）に示すように、表示部１１を閉じた状態では、表示部１１と本体部１２０がほぼ一体化した箱型形状となっている。表示部１１には、表示部１１を閉じた状態で本体部１２に対向する面に不図示の平面状の表示手段が配置されるとともに、本体部１２には、表示部１１を閉じた状態で表示部１１に対向する面に不図示のキーボードが配置されている。
【０００５】
中間部品部１３と表示部１１とは、第１の回転軸１４によって相対的に回転可能および任意の角度の開閉状態で保持可能に連携されており、中間部品部１３と本体部１２とは、第２の回転軸１５によって相対的に回転可能および任意の角度の開閉状態で保持可能に連携されている。
【０００６】
図１１（ｂ）は、机やひざの上でノートパソコンのように使うために好適な状態となるまで表示部１１を開いた場合を示しており、表示部１１の表示手段配置面が斜め上方を向いている。
【０００７】
図１１（ｃ）は、図１１（ｂ）の状態からさらに表示部１１を開いて、本体部１２とほぼ同一平面上に並ぶようにした状態である。情報処理装置１０の使用者が他の人と対面しながら、情報処理装置１０の表示手段を使って何らかの説明をする際などに好適である。
【０００８】
図１１（ｄ）は、図１１（ｃ）の状態からさらに表示部１１を開いた場合である。この状態は、本体部１２のキーボード配置面を下にするとともに、表示部１１の表示手段配置面が斜め上方を向くようにして情報処理装置１０を机の上などに置き、様々な情報を表示するデータビューワーとして使用する場合などに好適である。
【０００９】
図１１（ｅ）は、図１１（ｄ）の状態からさらに表示部１１を開き、表示部１１の表示手段が配置されていない裏面と本体部１２のキーボードが配置されていない底面とが互いに接するようにした場合である。この状態は、携帯しながらタッチパネルからのペン入力だけで使用する場合などに好適である。
【００１０】
ただし、図１１（ｅ）に示すような場合、情報処理装置１０の本体部１２を保持している使用者の手の指などがキーボードのいずれかのキーに不用意に触れてしまい、不所望なキー入力が行われたり、情報処理装置１０の誤動作を招いたりする可能性があった。
【００１１】
そこで、表示器体と、ヒンジ手段と、キーボード体とを備え、上記表示器体及びキーボード体は上記ヒンジ手段を中心に回動可能な電子機器であって、上記表示器体及びキーボード体の回動位置を検出する手段と、該検出手段の検出に基づいて機能を制御する手段を備えたことを特徴とする電子機器が提案されている（例えば、特許文献１参照。）。
【００１２】
この電子機器では、キーボード体と表示器体とをトータル３６０度拡開し、背中合わせになった状態で手に保持して操作する場合、持手がキーに触れても、不所望な入力のために誤作動を生じないよう、キーボードからの入力を無効としている。
【００１３】
また、国内で市販されている製品の中には、本体部のキーボードの上面全体を覆うことでキーが不用意に押されないようにするキーボードハードカバーを本体部に取り付けられるようにして、不所望なキー入力や誤動作を防止している携帯型の情報処理装置もあった。
【００１４】
また、図１１（ｃ）のように、表示部１１と本体部１２がほぼ同一平面上に並ぶように表示部１１を本体部１２に対して１８０度開き、表示部１１の表示手段を使って対面している人に何らかの説明を行う場合、表示部１１の表示内容は対面している人から見ると上下と左右が逆であり、非常に見づらいものであった。
【００１５】
そこで、制御基板を収納保持する本体ケースと、この本体ケースに設けられ、文字データあるいは記号データ等を入力する文字キーを有するキーボードと、この本体ケースに収納した記憶装置と、本体ケースの後方に回転自在に取付けられた平面的な表示画面とを有する情報処理装置において、前記表示装置を本体ケースに対して少なくとも１８０度以上回転可能に支持する支持機構と、前記文字キーによって入力された文字を倒立文字パターンに変更する手段と、前記文字キーによって入力された文字位置を点対称位置に変更する文字位置変更手段と、前記キーボードに設けられた表示状態変更キーと、表示状態変更キーの入力信号により、前記で変更された倒立文字パターンを文字位置変更手段によって変更された新たな表示位置に表示する表示制御装置を具備している情報処理装置では、表示状態変更キーの操作により、対面している相手から見て表示内容の上下と左右が正しくなるように、表示状態を切り替えることを可能としている情報処理装置も提案されている（例えば、特許文献２参照。）。
【００１６】
また、表示部１１と本体部１２を１８０度開いたときに、情報処理装置１０が有する手段の動作状態を切り替える他の例としては、ディスプレイを有する第１の部分と、操作部を有する第２の部分とをヒンジ部によって結合し、このヒンジ部を軸に上記両部分が回動自在になされた携帯型の情報処理装置であって、上記第１の部分と上記第２の部分とを上記ヒンジ部を挟んで略水平な状態にすることで、撮影動作が可能となる撮影手段を有することを特徴とする情報処理装置も提案されている（例えば、特許文献３参照。）。
【００１７】
＜ポップアップ式キーボード＞
一方、近年の情報処理装置、特に日本国内のノートパソコンでは薄型化が進んでいるが、一層の薄型化を図る上では、キーボードの操作感に大きな影響を及ぼすキーストロークの一定量の確保が課題である。
【００１８】
そのための対応策の一例としては、下ケース及び上ケースを具えたポータブルハウジングであって、下ケースと重なった閉じた位置と下ケースに対して角度的に離れた開いた位置との間で上ケースを動かすことができるようにヒンジによって連結した二つのケースからなるポータブルハウジングと、低い収納位置とキー入力可能な上げられた位置とに縦方向の移動が自在に下ケースに取り付けられ英数文字キーボードであって、複数段の複数の文字及び数字のキーを有する英数文字キーボードと、キーボードに作動的に連結され、上ケースが閉じた位置から開いた位置に旋回されるに連れて英数文字キーボードを低い収納位置からキー入力可能な上げられた位置に上げるためと、上ケースが開いた位置から閉じた位置に旋回されるに連れて英数文字キーボードをキー入力可能な上げられた位置から低い収納位置に下げるために、下ケースに対する上ケースの旋回運動に連動する作動装置を具備し、前記作動装置は、下ケースに往復動可能に取り付けられたスライド機構と、該スライド機構の往復動に連動して前記キーボードを上げ下げするためにスライド機構とキーボードとを連結する連結装置を有することを特徴とする、ポップアップ式キーボードを具えたポータブルコンピュータが提案されている（例えば、特許文献４参照。）。
【００１９】
このようなポータブルコンピュータのポップアップ式キーボードは、非使用時、すなわち、表示部をキーボード側に倒しているときには、キートップを支えているパンタグラフなどを情報処理装置本体側に折りたたんで携帯時の薄型化を実現している。一方、使用時、すなわち、表示部を開いた状態では、このパンタグラフなどを伸ばして十分な量のキーストロークを確保することで快適なタイピングを実現している。ここで、キートップとはキーボードが備える個々のキーの上面の部分であり、キーを押したときに入力される文字や記号が刻印されているところのことを言う。次に、このポップアップ式のキーボードの技術の原理を、図１２と図１３を参照して説明する。
【００２０】
図１２は従来技術におけるポップアップ式のキーボード２６を備えた情報処理装置３０の概観図であり、表示部２１を開いた使用時の状態を正面の斜め上方から見た図である。図１３は従来技術におけるポップアップ式のキーボード２６を備えた情報処理装置３０を側面から見た概観図であり、図１３（ａ）は表示部２１を閉じた不使用時の状態を、図１３（ｂ）は表示部２１を開いた使用時の状態を示している。
【００２１】
図１２および図１３（ａ）に示すように、この情報処理装置３０は、上面が長方形で高さの低い箱型形状の表示部２１と、この表示部２１とほぼ同一形状の本体部２２と、表示部２１の下側端部と本体部２２の背側端部とをそれぞれ開閉可能に連結するヒンジ部２３とで構成されている。
【００２２】
図１３（ａ）に示すように、表示部２１を閉じた状態では、表示部２１と本体部２２がほぼ一体化した箱型形状となっている。表示部２１には、表示部２１を閉じた状態で本体部２２に対向する面に平面状の表示手段２０が配置されるとともに、本体部２２には、表示部２１を閉じた状態で表示部２１に対向する面にキーボード２６が配置されている。
【００２３】
ヒンジ部２３には、表示部２１の開閉に連動して回転する回転軸２５が配置されており、回転軸２５の右端近傍には、回転軸２５の周囲に沿って軸方向に蛇行するには不図示のガイドピンが形成されている。このガイドピンは、表示部２１を開く途中で軸上での該当位置が左右方向の所定範囲内でゆるやかに変化するようになっている。
【００２４】
ガイドピンの動きは、機械的伝達部材であるアングル２７によってキーボード２６に伝達され、それにより、キーボード２６の不図示のメンブレンが左右に移動する。このメンブレンが移動すると、キートップ２９を支える不図示のパンタグラフは情報処理装置３０の本体側に折りたたまれ、図１３（ａ）のように、キートップ２９の高さは本体部２２の上面の高さとほぼ同じになる。一方、メンブレンが逆方向に移動すると、キートップ２９を支えるパンタグラフが伸ばされて、図１３（ｂ）のようにキートップ２９の高さは本体部２２の上面の高さよりも高くなり、キーストロークの深さが十分に確保されるようになる。
【００２５】
なお、以上の説明において不図示としていたガイドピン、アングル、パンタグラフ、メンブレンについては、後に図３を参照して説明する本発明の第１実施形態と同じ構成であるので、ここでの詳細な説明は省略する。
【００２６】
【特許文献１】
特開平１０−４９２７９号公報
【特許文献２】
特開平６−２５９１６６号公報
【特許文献３】
特開平８−２２３４３号公報
【特許文献４】
特開平９−２２２９３７号公報
【００２７】
【発明が解決しようとする課題】
しかしながら、上述のような携帯型の情報処理装置では、表示部の裏面と本体部の底面とが互いに接するようにした状態で情報処理装置を手に持って携帯し、タッチパネルからのペン入力だけで使用する場合などに、情報処理装置を持つ手の指がキーボードに触れてしまうことを避けることは難しかった。
【００２８】
特許文献１のように、キーボードからの入力を無効にして不所望な入力のために生じる誤作動を防止できたとしても、キーボードのキートップは数ｍｍ程度のキーストロークを持つため、指が触れた部分のキートップがへこむことが使用者にとっての違和感となり、情報処理装置を心地よく使用することができなかった。
【００２９】
本体部のキーボードの上面全体を覆うことでキーが不用意に押されないようにするキーボードハードカバーを本体部に取り付けた場合は、指が触れた部分がへこむことによる違和感などはないが、キーボードハードカバーの着脱や持ち運びは極めて面倒であり、さらに、キーボードハードカバーを紛失してしまう可能性もあった。
【００３０】
また、表示部と本体部との開閉角度を２７０〜３６０度の範囲とし、本体部のキーボード配置面を下にするとともに、表示部の表示手段配置面が斜め上方を向くようにして情報処理装置を机の上などに置き、様々な情報を表示するデータビューワーとして使用する場合、情報処理装置を置く面上の凹凸などによりキーボードから不所望な入力が行われて誤作動が生じる可能性があった。
【００３１】
従来技術のこのような課題を鑑み、本発明の目的は、表示部の裏面と本体部の底面とが互いに接するようにした状態で情報処理装置を手に持って携帯し、タッチパネルからのペン入力だけで使用する場合などに、情報処理装置を持つ手の指がキーボードに触れてキートップがへこんでしまうことの違和感を除去することができ、しかも、別体のキーボードハードカバーなどを持ち運ぶ必要のない情報処理装置を提供することである。
【００３２】
さらには、表示部と本体部との開閉角度を２７０〜３６０度の範囲とし、本体部のキーボード配置面を下にするとともに、表示部の表示手段配置面が斜め上方を向くようにして情報処理装置を机の上などに置き、様々な情報を表示するデータビューワーとして使用する場合、情報処理装置を置く面上に凹凸があったとしても不所望な入力が行われて誤動作が生じることのない情報処理装置を提供することである。
【００３３】
【課題を解決するための手段】
上記目的を達成するため、本発明によれば、表示手段を有する表示部と、キーボードを有する本体部と、前記表示部と前記本体部を開閉可能に連結する中間部品部と、前記表示部と前記本体部の開閉角度に応じて前記キーボードのキーストロークの深さを可変させるキーストローク可変手段を備えた情報処理装置において、前記開閉角度が所定角度以上になると前記キーストロークの深さを最小量とすることを特徴とする情報処理装置が提供される。
【００３４】
ここで、所定角度としては１８０度を越えて３６０度までの範囲の角度が考えられるが、例えば２７０度としてもよい。ただし、この角度に限るものではない。
【００３５】
あるいは、上記目的を達成するため、本発明によれば、表示手段を有する表示部と、キーボードを有する本体部と、前記表示部と前記本体部を開閉可能に連結する中間部品部と、前記表示部と前記本体部の開閉角度に応じて前記キーボードのキーストロークの深さを可変させるキーストローク可変手段を備えた情報処理装置において、前記開閉角度が第１の所定角度以下のとき、および、前記開閉角度が第２の所定角度以上のときに前記キーストロークの深さを最小量とすることを特徴とする情報処理装置が提供される。
【００３６】
ここで、第１の所定角度としては０度から９０度までの範囲が考えられるが、例えば０度、あるいは２０度としてもよい。第２の所定角度としては１８０度を越えて３６０度までの範囲の角度が考えられるが、例えば２７０度としてもよい。ただし、これらの角度に限るものではない。
【００３７】
あるいは、上記目的を達成するため、本発明によれば、表示手段を有する表示部と、キーボードを有する本体部と、前記表示部と前記本体部を開閉可能に連結する中間部品部と、前記表示部と前記本体部の開閉角度に応じて前記キーボードのキーストロークの深さを可変させるキーストローク可変手段を備えた情報処理装置において、前記開閉角度が第１の所定角度未満のときは前記キーストロークの深さを最小量とし、前記開閉角度が第１の所定角度以上で第２の所定角度未満のときは前記キーストロークの深さを前記開閉角度に応じて最小量から最大量まで増加させ、前記開閉角度が第２の所定角度以上で第３の所定角度未満のときは前記キーストロークの深さを最大量とし、前記開閉角度が第３の所定角度以上で第４の所定角度未満のときは前記キーストロークの深さを前記開閉角度に応じて最大量から最小量まで減少させ、前記開閉角度が第４の所定角度以上になると前記キーストロークの深さを最小量とすることを特徴とする情報処理装置が提供される。
【００３８】
ここで、第１の所定角度としては０度よりも大きくて第２の所定角度よりも小さく、第２の所定角度としては第１の所定角度よりも大きくて９０度までの範囲が考えられるが、例えば第１の所定角度を０度、あるいは２０度、そして第２の所定角度を６０度としてもよい。第３の所定角度としては１８０度よりも大きくて第４の所定角度よりも小さく、第４の所定角度としては第３の所定角度よりも大きくて３６０度までの範囲が考えられるが、例えば第３の所定角度を２３０度、第４の所定角度を２７０度としてもよい。ただし、これらの角度に限るものではない。
【００３９】
これにより、表示部と本体部との開閉角度を３６０度として、情報処理装置を手に持って携帯し、タッチパネルからのペン入力だけで使用する場合などに、情報処理装置を持つ手の指がキーボードに触れたとしても、キートップが明らかにへこむことがないので、何ら違和感がなく快適に使用することが可能となる。
【００４０】
また、前記表示部の開閉角度を検出する検出手段と、前記キーボードの入力を制御するキーボード入力制御手段とを備え、前記開閉角度が第５の所定角度以下のとき、および、前記開閉角度が前記第６の所定角度以上のときに、前記キーボード入力制御手段により前記キーボードからのキー入力を無効にすることを特徴としてもよい。
【００４１】
ここで、第５の所定角度としては０度から９０度までの範囲が考えられるが、例えば１０度としてもよい。第６の所定角度としては１８０度を越えて３６０度までの範囲の角度が考えられるが、例えば３４０度としてもよい。ただし、これらの角度に限るものではない。これらは、キーストロークの深さが変化を開始したり、終了したりする所定角度と必ずしも一致させる必要はないが、一致させてもよい。例えば、前記キーストロークの深さが最小量となるのが２０度以下および２７０度以上であるときに、第５の所定角度を２０度とし、第６の所定角度を２７０度としてもよい。
【００４２】
これにより、表示部を閉じているか、表示部を少しだけ開いた状態で非使用時と判断される場合、あるいは、表示部と本体部との開閉角度を３６０度として、情報処理装置を手に持って携帯する場合に、キーボードから不所望な入力が行われて誤作動が生じることを防止できる。
【００４３】
さらに、表示部と本体部との開閉角度を２７０〜３６０度の範囲とし、本体部のキーボード配置面を下にするとともに、表示部の表示手段配置面が斜め上方を向くようにして情報処理装置を机の上などに置き、様々な情報を表示するデータビューワーとして使用する場合でも、キーボードから不所望な入力が行われて誤作動が生じることを防止できる。
【００４４】
また、前記表示部の上面に入力装置としてのタッチパネルを備えたことを特徴としてもよい。さらに、前記表示部の開閉角度を検出する検出手段を備えて、前記開閉角度が第５の所定角度以上のときに前記タッチパネルからの入力を有効とすることを特徴としてもよい。
【００４５】
ここで、第５の所定角度としては１８０度を越えて３６０度までの範囲の角度が考えられるが、例えば３００度としてもよい。ただし、これらの角度に限るものではない。これらは、前記キーストロークの深さが変化を開始したり、終了したりする所定角度と一致させてもよい。例えば、前記キーストロークの深さが２７０度以上で最小量となるとき、第５の所定角度を２７０度としてもよい。
【００４６】
これにより、表示部と本体部との開閉角度を３６０度として、情報処理装置を手に持って携帯する場合にのみ、タッチパネルからのペン入力を有効とすることができる。
【００４７】
また、前記キーストローク可変手段は、前記キーボードのキートップを昇降させるキートップ昇降手段を有し、前記開閉角度に応じて前記キーボードのキートップを昇降させることにより、前記キーストロークの深さを可変させることを特徴としてもよい。
【００４８】
ここで、キートップ昇降手段とは、従来の技術のところで説明したポップアップ式のキーボードのように、キーボードのキートップを昇降させる手段のことである。
【００４９】
あるいは、前記キーストローク可変手段は、前記キーボードのキートップを昇降させるキートップ昇降手段と、前記キートップ昇降手段の昇降範囲を制限するキートップ昇降範囲制限手段と、前記キートップ昇降範囲制限手段を昇降させる昇降手段とを有し、前記開閉角度に応じて前記昇降手段を昇降させることにより、前記キーボードのキートップの昇降範囲の最降位置を変化させて、前記キーストロークの深さを可変させることを特徴としてもよい。
【００５０】
すなわち、ポップアップ式のキーボードのようにキートップの高さは変えないで、キートップの昇降範囲の最降位置を変化させる手段を設け、前記表示部の開閉角度に応じてこれを昇降させることにより、前記キーストロークの深さを可変させるようにしてもよい。ただし、これらの手段に限るわけではない。
【００５１】
キーストロークの深さの最小量としては０、すなわち、キーストロークが全く存在しない状態が考えられるが、使用者がキートップのへこみに違和感を持たない程度であれば、必ずしも０でなくてもよい。
【００５２】
また、キーストロークの深さが最小量となるときにキー入力を受けつけなくなるようにしてもよい。
【００５３】
また、前記キーストローク可変手段は、前記表示部の開閉に応じて回転する第１の回転軸と、前記本体部に配置された第２の回転軸と、前記第１の回転軸の回転を前記第２の回転軸に伝達する第１の伝達手段と、前記第２の回転軸の回転を前記キートップ昇降手段に伝達する第２の伝達手段とを備えていることを特徴としてもよい。
【００５４】
あるいは、前記キーストローク可変手段は、前記表示部の開閉に応じて回転する第１の回転軸と、前記本体部に配置された第２の回転軸と、前記第１の回転軸の回転を前記第２の回転軸に伝達する第１の伝達手段と、前記第２の回転軸の回転を前記キートップ可動範囲規制手段に伝達する第２の伝達手段とを備えていることを特徴としてもよい。
【００５５】
前記第１の伝達手段としては、複数のギアから構成してもよい。例えば、前記第１の回転軸に連結された第１のギアと、前記第２の回転軸に連結され、前記第１のギアとかみあう第２のギアとから構成してもよい。あるいは、前記第１の回転軸に連結された第１の傘歯車と、前記第２の回転軸に連結された第２の傘歯車と、前記第１の回転軸および前記第２の回転軸のいずれにも直交する方向の第３の回転軸に連結され、前記第１のギアと直交方向にかみあうとともに、前記第２のギアとも直行方向にかみあう第３の傘歯車とから構成してもよい。
【００５６】
あるいは、前記第１の伝達手段として、複数のギアの代わりに、回転力を任意の方向に向きを変えて自由に伝達可能な可撓軸を用いてもよい。
【００５７】
【発明の実施の形態】
以下、本発明の実施の形態を、図面を参照して説明する。
【００５８】
＜第１実施形態＞
図１は本発明の第１実施形態における携帯型の情報処理装置１を表示部１０１の正面の斜め上方から見た概観図である。また、図２は本発明の第１実施形態における携帯型の情報処理装置１を側面から見た概観図であり、表示部１０１が閉じている状態から、表示部１０１を徐々に開いていき、３６０度回転させた状態になるまでの推移を示している。図２（ａ）は表示部１０１が閉じている状態を、図２（ｂ）は表示部１０１の開閉角度が９０度の状態を、図２（ｃ）は表示部１０１の開閉角度が１８０度の状態を、図２（ｄ）は表示部１０１の開閉角度が２７０度の状態を、図２（ｅ）は表示部１０１の開閉角度が３６０度の状態を示している。
【００５９】
図１および図２（ａ）に示すように、この情報処理装置１は、上面が長方形で高さの低い箱型形状の表示部１０１と、この表示部１０１とほぼ同一形状の本体部１０２と、表示部１０１の下側端部と本体部１０２の背側端部とをそれぞれ開閉可能に連結する中間部品部１０３とで構成されている。
【００６０】
図２（ａ）に示すように、表示部１０１を閉じた状態では、表示部１０１と本体部１０２がほぼ一体化した箱型形状となっている。表示部１０１には、表示部１０１を閉じた状態で本体部１０２に対向する面に平面状の表示手段１００が配置されるとともに、本体部１０２には、表示部１０１を閉じた状態で表示部１０１に対向する面にキーボード１０６が配置されている。
【００６１】
ここでキーボード１０６は、図１２と図１３を参照して説明した従来技術におけるポップアップ式のキーボードと同様の構成のものであり、表示部１０１が閉じているときは、キーボード１０６のキートップ１０９の高さは本体部１０２の上面の高さとほぼ同じである。
【００６２】
中間部品部１０３と表示部１０１とは、第１の回転軸１０４によって相対的に回転可能および任意の角度の開閉状態で保持可能に連携されており、中間部品部１０３と本体部１０２とは、第２の回転軸１０５によって相対的に回転可能および任意の角度の開閉状態で保持可能に連携されている。
【００６３】
表示部１０１は第１の回転軸１０４を回転中心として、中間部品部１０３と直交した状態から逆方向に直交するまで、１８０度回転可能に連結されている。また、本体部１０２は第２の回転軸１０５を回転中心として、中間部品部１０３と直交した状態から逆方向に直交するまで、１８０度回転可能に連結されている。
【００６４】
表示部１０１と本体部１０２との開閉角度は、表示部１０１が第１の回転軸１０４を中心として中間部品部１０３に対して相対的に回転した角度と、本体部１０２が第２の回転軸１０５を中心として中間部品部１０３に対して回転した角度との合計となるから、表示部１０１は本体部１０２に対しては最大で３６０度の回転が可能となっている。
【００６５】
なお、この情報処理装置１では、構造的な特徴により、表示部１０１が第１の回転軸１０４を中心として中間部品部１０３に対して相対的に回転した角度と、本体部１０２が第２の回転軸１０５を中心として中間部品部１０３に対して相対的に回転した角度とは常に等しくなるが、この点についての詳細は図３を参照して後述する。
【００６６】
図２（ｂ）は、図２（ａ）の状態から表示部１０１と本体部１０２との開閉角度が９０度になるまで表示部１０１を開いた場合を示している。表示部１０１は中間部品部１０３に対して相対的に４５度回転しており、本体部１０２は中間部品部１０３に対して相対的に４５度回転している。キーボード１０６のキートップ１０９を支える不図示のパンタグラフは、開閉角度が大きくなるにつれて畳まれた状態から伸ばされ始め、表示部１０１と本体部１０２との開閉角度が９０度に達する途中で最も伸ばされた状態に到達し、その後は開閉角度が大きくなっても同じ状態を保つ。このとき、キートップ１０９の高さは本体部１０２の上面の高さよりも高くなっており、快適なタイピングを実現するために十分なキーストロークの深さが確保されている。
【００６７】
図２（ｃ）は、図２（ｂ）の状態から表示部１０１と本体部１０２との開閉角度が１８０度になるまで表示部１０１をさらに開いた場合を示している。表示部１０１は中間部品部１０３に対して相対的に９０度回転しており、本体部１０２は中間部品部１０３に対して相対的に９０度回転している。キーボード１０６のキートップ１０９は図２（ｂ）と同じ状態を保っている。
【００６８】
図２（ｄ）は、図２（ｃ）の状態から表示部１０１と本体部１０２との開閉角度が２７０度になるまで表示部１０１をさらに開いた場合を示している。表示部１０１は中間部品部１０３に対して相対的に１３５度回転しており、本体部１０２は中間部品部１０３に対して相対的に１３５度回転している。キーボード１０６のキートップ１０９を支える不図示のパンタグラフは、開閉角度が１８０度からさらに大きくなるにつれて伸ばされた状態から畳まれ始め、表示部１０１と本体部１０２との開閉角度が２７０度に達した時点で最も畳まれた状態に到達する。このとき、キーボード１０６のキートップ１０９の高さは本体部１０２の上面の高さとほぼ同じである。
【００６９】
図２（ｅ）は、図２（ｄ）の状態から表示部１０１と本体部１０２との開閉角度が３６０度になるまで表示部１０１をさらに開き、表示部１０１の表示手段１０１が配置されていない裏面と本体部１０２のキーボード１０６が配置されていない底面とが互いに接するようにした場合を示している。表示部１０１は中間部品部１０３に対して相対的に１８０度回転しており、本体部１０２は中間部品部１０３に対して相対的に１８０度回転している。キーボード１０６のキートップ１０９は図２（ｄ）と同じ状態を保っている。
【００７０】
図３は、本発明の第１実施形態における携帯型の情報処理装置１であり、表示部１０１と本体部１０２とを連結する中間部品部１０３とその周辺とを拡大した概略図である。
【００７１】
図３に示すように、本発明の第１実施形態における携帯型の情報処理装置１では、表示部１０１の下側端部１０１ａの両端部に横断面正方形状の切り欠き部１０１ｂが形成されている。一方、本体部１０２の背側端部１０２ａの両端部にも、表示部１０１の切り欠き部１０１ｂと同じ大きさの横断面正方形状の切り欠き部１０２ｂが形成されている。
【００７２】
中間部品部１０３は、対向配置されたこれら表示部１０１と本体部１０２の両切り欠き部１０１ｂ、１０２ｂ間に渡って嵌め合わせるように配置されており、この中間部品部１０３と表示部１０１とが第１の回転軸１０４によって相対的に回転可能および任意の角度の開閉状態で保持可能に連携されるとともに、中間部品部１０３と本体部１０２とが第２の回転軸１０５によって相対的に回転可能および任意の角度の開閉状態で保持可能に連携されている。
【００７３】
また、第１の回転軸１０４は、一端部側が中間部品部１０３内に設けられた第１の軸受１２３によって回転可能に保持されており、他端部側がネジ止めによって表示部１０１に回転不能に固定されている。つまり、第１の回転軸１０４は、中間部品部１０３に対して表示部１０１と一体に回転するようになっている。
【００７４】
第１の回転軸１０４の左端には第１のギア１２１が連結されているとともに、第２の回転軸１０５の左端には第１のギア１２１と同一形状の第２のギア１２２が連結されており、第１のギア１２１と第２のギア１２２は中間部品部１０３の内部において互いにかみあっている。
【００７５】
表示部１０１の開閉動作により、表示部１０１に回動不能に固定されている第１の回転軸１０４が中間部品部１０３に対して所定角度だけ回転すると、第１の回転軸１０４に連結されている第１のギア１２１も連動して同じ所定角度だけ回転する。その回転は第１のギア１２１と互いにかみあっている第２のギア１２２に伝達され、それによって第２の回転軸１０５も回転するが、第２の回転軸１０５の回転方向は第１の回転軸１０４の回転方向とは逆方向である。また、第１のギア１２１と第２のギア１２２は同一形状であるから、ギア比は１：１であり、第２の回転軸１０５が中間部品部１０３に対して回転した角度は、第１の回転軸１０４が中間部品部１０３に対して回転した角度と常に等しくなっている。このように、表示部１０１の開閉角度と第２の回転軸１０５の回転角度は一意に対応している。
【００７６】
本体部１０２には、第２の回転軸１０５の右側の先端１０５ａと接する位置にロータリースイッチ１１２が配置されている。このロータリースイッチ１１２は不図示のつまみ部分を有しており、このつまみ部分の回転角度に応じて、導通状態と非導通状態とが切り替わる。さらに、このつまみ部分は、第２の回転軸１０５の先端１０５ａに形成されている不図示の突起部と機械的に結合されており、これにより、第２の回転軸１０５の回転角度に応じて、ロータリースイッチ１１２は導通状態と非導通状態とが切り替わることになる。
【００７７】
ここで、このロータリースイッチ１１２は、表示部１０１と本体部１０２との開閉角度が３６０度のときのみ導通状態となり、開閉角度が３６０度に満たないときは非導通状態となるように構成されている。ただし、これは一例であり、これに限るものではない。例えば、検出精度の余裕なども考慮して、開閉角度が０度から３５０度までは導通状態としておき、開閉角度が３５０度を越えると非導通状態となるように構成してもよい。
【００７８】
これにより、情報処理装置１は、表示部１０１と本体部１０２の開閉角度が所定角度に達しているか否か、具体的には、表示部１０１が３６０度開かれていて、表示部１０１の裏面と本体部１０２の底面とが互いに接している状態か否かを検出することができる。そして、その検出結果に応じて、情報処理装置１の各種機能の制御を行うことが可能となる。例えば、表示部１０１の裏面と本体部１０２の底面とが互いに接している状態を検出した場合に、不所望なキー入力が行われないように、キーボードからのキー入力を無効としてもよい。
【００７９】
あるいは、ロータリースイッチ１１２の構成を、表示部１０１と本体部１０２との開閉角度が０度から２０度まで、および、３５０度を越えたときに導通状態とし、それ以外の場合を非導通状態としてもよい。
【００８０】
このようにすると、表示部１０１の裏面と本体部１０２の底面とが互いに接している状態に加えて、表示部１０１を閉じているときにもキーボードからのキー入力を無効にできる。
【００８１】
第２の回転軸１０５の先端１０５ａに近い部分の軸の周囲表面１０５ｂには、第２の回転軸１０５の周囲に沿って軸方向に蛇行するガイドピン１０８が形成されており、第２の回転軸１０５の回転によって、ガイドピン１０８の軸上での該当位置が左右方向の所定範囲内でゆるやかに変化する。
【００８２】
本体部１０２のキーボード１０６の底面部分には全面に渡って、長方形の薄い板状のプレート１１４が配置され、このプレート１１４は本体部１０２に固定されている。
【００８３】
プレート１１４の上面には、プレート１１４よりも少しだけ小さな長方形の薄い板状のメンブレン１１３が配置され、このメンブレン１１３は本体部１０２と平行な平面上で所定の幅の範囲内で左右方向に移動可能に支持されている。メンブレン１１３には、第２の回転軸１０５に近い方の側端部に駆動ピン１１５が形成されており、この駆動ピン１１５を左右方向に移動させることにより、メンブレン１１３全体を左右方向に移動させることができる。
【００８４】
さらに、このメンブレン１１３の上面にキーボード１０６の各キーのキートップ１０９が配置されている。
【００８５】
また、第２の回転軸１０５とメンブレン１１３との間には、ガイドピン１０８の左右方向の動きを駆動ピン１１５へ機械的に伝達するための部材であるアングル１０７が配置されている。このアングル１０７は、その中央部が本体部１０２に形成された支持ピン１１１により支持されており、この支持ピン１１１を中心として本体部１０２と平行な平面上で回動可能に支持されている。
【００８６】
アングル１０７の第２の回転軸１０５に近い方の端部には、断面半楕円状の切り欠き部１０７ａが形成されており、この切り欠き部１０７ａがガイドピン１０８に嵌合されている。一方、アングル１０７のキーボード１０６に近い方の端部にも、断面半楕円状の切り欠き部１０７ｂが形成されており、この切り欠き部１０７ｂが駆動ピン１１５に嵌合されている。
【００８７】
第２の回転軸１０５の回転により、ガイドピン１０８の軸上の位置が、例えば左側に移動すると、ガイドピン１０８に嵌合されているアングル１０７の切り欠き部１０７ａの位置も左側に移動し、支持ピン１１１を挟んで反対側の位置にある切り欠き部１０７ｂの位置が逆方向の右側へ移動する。これにより、切り欠き部１０７ｂに嵌合されている駆動ピン１１５も右側へ移動するため、キーボード１０６のメンブレン１１３も右側へ移動することになる。一方、第２の回転軸１０５の回転によりガイドピン１０８の軸上の位置が右側に移動した場合は、上記と逆の過程を辿って駆動ピン１１５が左側へ移動するため、キーボード１０６のメンブレン１１３も左側へ移動することになる。
【００８８】
ここで、ガイドピン１０８は、表示部１０１と本体部１０２との開閉角度とガイドピン１０８の軸方向の位置関係が次のようになるように形成されている。
【００８９】
すなわち、表示部１０１が閉じられていて、表示部１０１と本体部１０２との開閉角度が０度のときは、ガイドピン１０８は最も右側に位置している。表示部１０１が開かれても、開き角度が２０度に達するまでは、ガイドピン１０８は最も右側の位置を維持している。さらに開き角度が増していくと、それに連動してガイドピン１０８が次第に左側へ移動し始める。そして、開き角度が６０度に達する時点で、ガイドピン１０８は最も左側の位置へ到達する。その後、開き角度が増しても２３０度に達するまでは、ガイドピン１０８は最も左側の位置を維持するが、開き角度が２３０度を越えてさらに大きくなっていくと、それに連動して、ガイドピン１０８は再び右側へ移動し始める。そして、開き角度が２７０度に達する時点で、ガイドピン１０８は最も右側の位置へ到達し、その後は開き角度が増しても、３６０度に達するまでガイドピン１０８は最も右側の位置を維持する。ただし、ここで示した角度の値は一例であり、これに限るものではない。
【００９０】
図４は、本発明の第１実施形態における携帯型の情報処理装置１であり、キーボード１０６の各キーの断面を本体部１０２の手前側端部の方向から見た概略図で、図４（ａ）はキーストロークの深さが最大の状態を、図４（ｂ）はキーストロークの深さが最小の状態を示している。
【００９１】
図４（ａ）および図４（ｂ）に示すように、本発明の第１実施形態のキーボード１０６では、最下部にプレート１１４が配置されている。メンブレン１１３はプレート１１４のすぐ上方に、本体部１０２と平行な平面上で、所定幅の範囲内で左右方向にのみ移動可能に支持されている。
【００９２】
メンブレン１１３の上面には、キーボード１０６の各キーに対応する位置に上半球状のドーム型スイッチ１１８が配置されている。このドーム型スイッチ１１８は、上半球状のドームの頂上部の内面と、このドーム頂上部の真下のメンブレン１１３の上面とにそれぞれ接点を有しており、これら２つの接点が互いに接触して電気的に導通することにより、対応するキーが押されたことが検出される。また、メンブレン１１３には、各キーに対応する位置に配置されているドーム型スイッチ１１８のすぐ右側に貫通孔１１３ａが形成されている。
【００９３】
キーボード１０６の各キーに対応するキートップ１０９は、上面が正方形で下面はそれよりやや大きい正方形である断面台形状の部材で、上面には入力される文字や記号が印字されている。キートップ１０９は、ドーム型スイッチ１１８の真上に、互いに交差する２本の足からなるパンタグラフ１１６によって支持されている。パンタグラフ１１６の一方の足の下端はメンブレン１１３の上面に回動可能に連結され、パンタグラフ１１６の他方の足の下端はプレート１１４にスライド可能に当接されている。パンタグラフ１１６の２本の足のほぼ中央部には、下向きに凸となるように湾曲した板バネ１１９の両端がそれぞれ連結されている。
【００９４】
先に図３を参照して説明したように、表示部１０１が閉じられているときは、第２の回転軸１０５の周囲に沿って設けられているガイドピン１０８の軸方向の位置が最も右側に位置しており、メンブレン１１３は最も左側に位置していた。図４（ｂ）は、このときのメンブレン１１３とキートップ１０９の位置関係を示している。
【００９５】
このとき、板バネ１１９の左右方向の位置は、ドーム型スイッチ１１８の真上から外れて右側に位置しており、ちょうど貫通孔１１３ａのほぼ真上である。このため、板バネ１１９の下向きに湾曲した部分の一部が貫通孔１１３ａの内部に侵入して、パンタグラフ１１６は最も折りたたまれた状態となる。これにより、キートップ１０９は最も下がった状態で固定され、キートップ１０９の高さは本体部１０２の上面とほぼ同じ高さとなる。キートップ１０９は、上方から押されてもこの高さより下がることはないので、キーストロークの深さは最小の０であり、キーボード１０６は実質的にキー入力を受けつけなくなる。
【００９６】
表示部１０１が開かれるとガイドピン１０８が左側に移動し、メンブレン１１３は右側に移動する。すると、メンブレン１１３と板バネ１１９の弾性力で、図４（ａ）に示すように、パンタグラフ１１６が折りたたまれた状態から伸ばされ、これに伴って板バネ１１９も上昇し、板バネ１１９の下方へドーム型スイッチ１１８がすべりこむ。これにより、キートップ１０９も上方へ持ち上げられ、キートップ１０９の高さは本体部１０２の上面の高さよりも高くなる。
【００９７】
この状態でキートップ１０９を上方から押すと、その力がパンタグラフ１１６の両足と板バネ１１９を介して伝達され、板バネ１１９の下面がドーム型スイッチ１１８の上半球状のドームを押しつぶし、これにより、ドーム内の２つの接点が互いに接触して電気的に導通するため、キー入力を検出することが可能となる。
【００９８】
また、キートップ１０９に外部からの力が一切加えられていない状態（図４（ａ）に示す状態）から、上方から押されて電気的導通を検出するまでのキートップ１０９の上下方向の移動量がキーボード１０６のキーストロークの深さに該当することになり、メンブレン１１３が最も右側に位置しているときに、キーストロークの深さが最大となる。
【００９９】
図５は、本発明の第１実施形態における携帯型の情報処理装置１であり、表示部１０１と本体部１０２との開閉角度と、ガイドピンの位置およびキーストロークとの関係を示すグラフである。
【０１００】
表示部１０１が閉じられていて、表示部１０１と本体部１０２との開閉角度が０度のときは、ガイドピン１０８は最も右側に位置しており、メンブレン１１３は最も左側に位置している。したがって、キートップ１０９の高さは本体部１０２の上面とほぼ同じ高さであり、キーストロークの深さは最小の０であって、キー入力を受けつけない状態となっている。
【０１０１】
この状態から表示部１０１が開かれても、開き角度が２０度に達するまでは、ガイドピン１０８は最も右側の位置を維持していおり、キー入力を受けつけない状態が維持される。
【０１０２】
表示部１０１がさらに開かれて開き角度が増していくと、それに連動して、ガイドピン１０８が次第に左側へ移動し始める。そして、開き角度が６０度に達する時点で、ガイドピン１０８は最も左側の位置へ到達する。この間に、メンブレン１１３は最も左側の位置から最も右側の位置へ移動し、これに連動してキートップ１０９も本体部１０２の上面よりも高いところまで移動する。この状態でキーストロークの深さが最大となっており、キー入力も受けつけ可能である。
【０１０３】
その後、表示部１０１がさらに開かれて開き角度が増しても、２３０度に達するまでは、ガイドピン１０８は最も左側の位置を維持しており、メンブレン１１３も最も右側の位置を維持するので、キートップ１０９の高さやキーストロークの深さはそのままである。
【０１０４】
表示部１０１の開き角度が２３０度を越えてさらに大きくなっていくと、それに連動して、ガイドピン１０８は再び右側へ移動し始める。そして、開き角度が２７０度に達する時点で、ガイドピン１０８は最も右側の位置へ到達する。この間にメンブレン１１３も最も右側の位置から最も左側の位置へ移動し、キートップの高さは本体部１０２の上面とほぼ同じ高さとなる。したがって、キーストロークの深さは再び最初の０になっており、キー入力を受けつけない状態となっている。
【０１０５】
その後は、表示部１０１の開閉角度が増しても、ガイドピン１０８は最も右側の位置を維持し、メンブレン１１３も最も左側の位置を維持するので、キートップ１０９の高さやキーストロークの深さはそのままである。
【０１０６】
このようなガイドピン１０８の位置とキーストロークの深さとの関係は、表示部１０１を閉じていく場合も同様である。
【０１０７】
なお、ここで示したガイドピン１０８の位置が変化し始める開閉角度などの値は一例であり、これに限るものではない。
【０１０８】
以上で説明したように、本発明の第１実施形態では、表示部１０１と本体部１０２との開閉角度に連動して、キーボード１０６のキートップ１０９の高さを変化させる構成とすることで、キーストロークの深さを可変させることを実現している。
【０１０９】
＜第２実施形態＞
図６は、本発明の第２実施形態における携帯型の情報処理装置１であり、キーボード２０６の各キーの断面を本体部１０２の手前側端部の方向から見た概略図で、図６（ａ）はキーストロークの深さが最大の状態を、図６（ｂ）はキーストロークの深さが最小の状態を示している。
【０１１０】
ここで、本発明の第２実施形態では、キーストロークの深さを可変させるための構成が第１実施形態とは異なっているが、それ以外は第１実施形態と同一である。以下の説明では、同じ機能と形状の構成部材については同じ符号を付すこととし、図３も参照しながら、第１実施形態との相違点のみについて説明する。
【０１１１】
図６（ａ）および図６（ｂ）に示すように、本発明の第２実施形態のキーボード２０６では、最下部にメンブレン２１３が配置されている。メンブレン２１３の上面には、キーボード２０６の各キーに対応する位置に上半球状のドーム型スイッチ１１８が配置されている。
【０１１２】
キーボード２０６の各キーに対応するキートップ２０９は、上面が正方形で下面はそれよりやや大きい正方形である断面台形状の部材であるキートップ２０９ａと、キートップ２０９ａの下面中心部分から突出するように形成された柱状の部材であるキートップ支持部２０９ｂから構成されており、キートップ２０９ａの上面には入力される文字や記号が印字されている。
【０１１３】
メンブレン２１３の上面には、キートップ支持部２０９ｂがちょうど入り込むことができる大きさの内周面形状に形成された筒状のキートップ保持筒２１７が設けられており、このキートップ保持筒２１７の内底部にドーム型スイッチ１１８が配置されている。さらに、キートップ２０９ａの下面には、互いに交差する２本の足からなるパンタグラフ２１６の一端がそれぞれ連結されるとともに、これらのパンタグラフ２１６の一方の他端はメンブレン２１３の上面に回動可能に連結され、パンタグラフ２１６の一方の他端はメンブレン２１３の上面にスライド可能に当接されている。
【０１１４】
キートップ２０９ａは、キートップ支持部２０９ｂがキートップ保持筒２１７に若干入り込んだ状態で、キートップ保持筒２１７の内底面に配置されたドーム型スイッチ１１８と一定のストロークを保って、パンタグラフ２１６により支持されている。
【０１１５】
また、メンブレン２１３のすぐ上方には、本体部１０２（図３参照）と平行な平面上で、所定幅の範囲内で左右方向にのみ移動可能な下プレート２１４ｂが配置されている。
【０１１６】
下プレート２１４ｂの上方には、本体部１０２と平行な平面上では左右に移動不能で、上下方向にのみ移動可能な上プレート２１４ａが、下プレート２１４ｂと平行に配置されている。ここで、上プレート２１４ａと下プレート２１４ｂを相互に連結するプレート連結アングル２２０の一端が、上プレート２１４ａの下面に回動可能に連結されているとともに、プレート連結アングル２２０の他端が下プレート２１４ｂの上面に回動可能に連結されている。これにより、上プレート２１４ａが下プレート２１４ｂの上方に支持されている。
【０１１７】
下プレート２１４ｂには、第２の回転軸１０５（図３参照）に近い方の側端部に、本発明の第１実施形態のメンブレン１１３（図３参照）に形成されていた駆動ピン１１５（図３参照）と同様の不図示の駆動ピンが形成されており、表示部１０１（図３参照）と本体部１０２との開閉角度に応じて、この駆動ピンが所定幅の範囲内で左右に移動される。これにより、下プレート２１４ｂ全体も、所定幅内で左右に移動されることになる。
【０１１８】
ここで、本発明の第２実施形態においては、第２の回転軸１０５の周囲に沿って設けられている不図示のガイドピンの軸方向の位置は、本発明の第１実施形態のガイドピン１０８（図３参照）とは左右がちょうど逆になるように設けられている点が異なっている。
【０１１９】
すなわち、表示部１０１が閉じられていて、表示部１０１と本体部１０２との開閉角度が０度のときは、ガイドピンは最も左側に位置している。表示部１０１が開かれて開き角度が増していくと、それに連動して、ガイドピンが次第に右側へ移動し始める。そして、開き角度が４０度に達する時点で、ガイドピンは最も右側の位置へ到達する。その後、開き角度が増しても２３０度に達するまでは、ガイドピンは最も右側の位置を維持するが、開き角度が２３０度を越えてさらに大きくなっていくと、それに連動して、ガイドピンは再び左側へ移動し始める。そして、開き角度が２７０度に達する時点で、ガイドピンは最も左側の位置へ到達し、その後は、開き角度が増しても、ガイドピンは最も左側の位置を維持する。
【０１２０】
下プレート２１４ｂが所定範囲内で最も左側に位置しているとき、図６（ａ）に示すように、プレート連結アングル２２０は、上プレート２１４ａおよび下プレート２１４ｂに対して斜めになっている。このとき、上プレート２１４ａと下プレート２１４ｂとの間隔はプレート連結アングル２２０の長さよりも短く、ちょうど上プレート２１４ａの上面の高さが、キートップ保持筒２１７の上端の高さと同じになっている。
【０１２１】
キートップ２０９ａを上から押すと、キートップ２０９ａはキートップ支持部２０９ｂと一体になって、パンタグラフ２１６が支える上向きの力に抗いながら真下に下降していく。キートップ支持部２０９ｂは、キートップ保持筒２１７の内部へとさらに深く入り込み、キートップ２０９ａの下面がキートップ保持筒２１７の上端に当接するまで下降する。その途中で、キートップ支持部２０９ｂの下端はドーム型スイッチ１１８の上半球型のドームの頂上部に接触し、キートップ２０９ａの下面がキートップ保持筒２１７の上端に当接したときには、キートップ支持部２０９ｂの下端がドーム型スイッチ１１８の上半球型のドームを押しつぶしている。これにより、ドーム内の２つの接点が互いに接触して電気的に導通するため、キー入力を検出することが可能となる。
【０１２２】
ここで、キートップ２０９に外部からの力が一切加えられていない状態から、上方から押されて電気的導通を検出するまでのキートップ２０９の上下方向の移動量がキーボードのキーストロークの深さに該当することになる。また、キーストロークの深さは、図６（ａ）に示すように、下プレート２１４ｂが最も左側に位置しているときに最大となる。
【０１２３】
図６（ｂ）に示すように、下プレート２１４ｂが右側に移動して最も右側の位置に達したとき、プレート連結アングル２２０は、上プレート２１４ａおよび下プレート２１４ｂのそれぞれに対して垂直となるように起立する。これにより、上プレート２１４ａと下プレート２１４ｂとの間隔はプレート連結アングル２２０の長さと等しくなって、ちょうど上プレート２１４ａの上面が、キートップ２０９ａの下面に当接する。これにより、キートップ２０９は昇降範囲の最降位置がそのままの位置に変更されることになり、上方から押されてもキートップ２０９は下がらなくなる。このとき、キーストロークの深さは最小の０であり、キーボードは実質的にキー入力を受けつけなくなる。
【０１２４】
＜第３実施形態＞
図７は、本発明の第３実施形態における携帯型の情報処理装置１であり、表示部３０１と本体部３０２との連結部分とその周辺とを拡大した概略図である。
【０１２５】
ここで、本発明の第３実施形態では、表示部３０１の開閉による第１の回転軸３０４の回転を第２の回転軸３０５に伝達するために、本発明の第１実施形態で使用されている２個のギアに代わって、フレキシブルシャフトを使用している構成が第１実施形態とは異なっている。それ以外は第１実施形態と同一であるので、以下の説明では、同じ機能と形状の構成部材については同じ符号を付すこととし、図３も参照しながら、第１実施形態との相違点のみについて説明する。
【０１２６】
図７に示すように、本発明の第３実施形態における携帯型の情報処理装置１では、表示部３０１の下側端部３０１ａの両端部に横断面正方形状で、第１実施形態の切り欠き部１０１ｂよりは小さな切り欠き部３０１ｂが形成されている。一方、本体部３０２の背側端部３０２ａの両端部にも、表示部３０１の切り欠き部３０１ｂと同じ大きさの横断面正方形状の切り欠き部３０２ｂが形成されている。
【０１２７】
第１の回転軸３０４はほぼ中央および右端近傍がネジ止めによって、表示部３０１の下側端部３０１ａの左端近傍に下側端部３０１ａに平行となるように回動不能に固定されている。第２の回転軸３０５はほぼ中央付近で、本体部３０２の背側端部３０２ａの左端近傍にネジ止めされたヒンジ１１０を介して、本体部３０２に背側端部３０２ａと平行になるように回動可能に固定されている。
【０１２８】
さらに、第１の回転軸３０４の左端と第２の回転軸３０５の左端とが、Ｕ字型に曲げられたフレキシブルシャフト３２５により、相互に回転を伝達することができるように連結されている。ここで、フレキシブルシャフトは、可撓軸、または、たわみ軸とも呼ばれる可撓自在な回転軸で、回転力を任意の方向に向きを変えて自由に伝達できるものである。
【０１２９】
表示部３０１の開閉動作により、表示部３０１に回動不能に固定されている第１の回転軸３０４が所定角度だけ回転すると、第１の回転軸３０４の左端に連結されているフレキシブルシャフト３２５も連動して同じ所定角度だけ回転する。その回転はフレキシブルシャフト３２５によって、フレキシブルシャフト３２５に連結されている第２の回転軸３０５の左端に伝達され、それによって第２の回転軸３０５も回転する。ただし、フレキシブルシャフト３２５はＵ字型に曲げられた状態で、第１の回転軸３０４と第２の回転軸３０５とを連結しているので、第２の回転軸３０５の回転方向は第１の回転軸３０４の回転方向とは逆方向である。また、フレキシブルシャフト３２５の両端での回転数は常に等しいから、第２の回転軸３０５が回転した角度は、第１の回転軸３０４が回転した角度と常に等しくなっている。
【０１３０】
ここまでで説明した点を除いた他の部分の構成は、図３を参照して説明した第１実施形態と同一である。
【０１３１】
すなわち、本体部３０２には、第２の回転軸３０５の右側の先端３０５ａと接する位置にロータリースイッチ１１２が配置されている。
【０１３２】
第２の回転軸３０５の先端３０５ａに近い部分の軸の周囲表面３０５ｂには、回転軸の周囲に沿って軸方向に蛇行するガイドピン１０８が設けられており、第２の回転軸３０５の回転によって、ガイドピン１０８の軸上での該当位置が左右方向の所定範囲内でゆるやかに変化する。
【０１３３】
さらに、表示部３０１の開閉に伴うガイドピン１０８の軸上での位置の変化を、キーボード１０６のメンブレン１１３に形成された駆動ピン１１５に機械的に伝達するためのアングル１０７が、本体部１０２に形成された支持ピン１１１により、支持ピン１１１を中心として本体部１０２と平行な平面上で回動可能に支持されている。
【０１３４】
このような構成とすることで、表示部３０１の開閉に連動してキートップを昇降させることが可能となる。
【０１３５】
＜第４実施形態＞
図８は、本発明の第４実施形態における携帯型の情報処理装置１において、第１の回転軸４０４から第２の回転軸４０５へ回転を伝達するための構成を示す概略図である。
【０１３６】
本発明の第１実施形態では、第１の回転軸１０４の回転を第２の回転軸１０５に伝達するために２個のギアを使用していたが、そのような構成に限るわけではなく、３個以上のギアを使用してもよい。そこで、第４実施形態では３個のギアを使用して、第１の回転軸４０４の回転を第２の回転軸４０５に伝達する構成例を示す。
【０１３７】
ただし、通常のギアは奇数個をかみあわせた場合、最初のギアと最後のギアは同一方向に回転する。そこで、本発明の第４実施形態では、３個の傘歯車を使用することにより、回転方向を逆に伝達できるようにしている。
【０１３８】
また、第４実施形態では、表示部の下側端部の左端側および本体部の背側端部の左端側にある切り欠き部は、ともに横断面の大きさと形状は第１実施形態と同じであるが、それぞれが同一の所定距離だけやや右側の位置にずれて形成されているものとする。中間部がこれらの２つの切り欠き部に渡って嵌め合わせるように配置されているのは第１実施形態と同様で、ここに図８に示した回転を伝達するための構成が配置されている。
【０１３９】
さらに、第１の回転軸４０４はその左端部が、表示部の下側端部の左端近傍（切り欠き部の形成位置よりも左側）にネジ止めによって回動不能に固定されている。第２の回転軸がそのほぼ中央付近で、本体部の背側端部の左端近傍（ただし、切り欠き部の形成位置よりは右側）にネジ止めされたヒンジを介して、本体部の背側端部と平行になるように回動可能に固定されているのは第１実施形態と同様である。
【０１４０】
なお、本発明の第４実施形態では、これ以外の部分の構成については第１実施形態と同一であるので、以下の説明では、第１実施形態と異なる部分のみについて説明する。
【０１４１】
本発明の第４実施形態においては、第１の回転軸４０４の右端近傍に第１の傘歯車４３１が連結されている。ここで、第１の傘歯車４３１は、右側面の方が左側面よりも面積が小さくなるような断面台形状の部材である。
【０１４２】
第２の回転軸４０５は第１の回転軸４０４と平行しているが、第２の回転軸４０５の左端は第１の回転軸４０４の右端よりもさらに右に配置されており、第２の回転軸４０５の左端近傍に第２の傘歯車４３２が連結されている。ここで、第２の傘歯車４３２は、左側面の方が右側面よりも面積が小さくなるような断面台形状の部材であり、第２の傘歯車４３２の直径は、第１の傘歯車４３１の直径よりも小さい。
【０１４３】
第１の回転軸４０４および第２の回転軸４０５の両方に直行する方向には、第３の回転軸４３０が配置されている。ただし、第３の回転軸４３０は、第１の回転軸４０４および第２の回転軸４０５のいずれとも交差はしない。
【０１４４】
第３の回転軸４３０における第２の回転軸４０５に近い方の端部には、第３の傘歯車４３３が連結されている。ここで、第３の傘歯車４３３は、上面の方が底面よりも面積が小さくなるような断面台形状の部材である。さらに、第３の傘歯車４３３は、第１の回転軸４０４に連結された第１の傘歯車４３１と直交方向に互いにかみあっているとともに、第２の回転軸４０５に連結された第２の傘歯車４３２とも直交方向に互いにかみあっている。
【０１４５】
これにより、表示部の開閉により第１の回転軸４０４が回転すると、第１の回転軸４０４に連結された第１の傘歯車４３１も回転し、その回転が第１の傘歯車４３１にかみあっている第３の傘歯車４３３に伝達される。その回転はさらに、第３の傘歯車４３３にかみあっている第２の傘歯車４３２に伝達されるので、第２の回転軸４０５が回転することになる。
【０１４６】
＜システム・回路構成＞
図９は、本発明の携帯型の情報処理装置１におけるシステム構成を示すブロック図である。
【０１４７】
なお、ここで説明するシステム構成は、すでに説明した第１実施形態ないし第４実施形態のいずれにも適用可能であるが、これに限るものではない。
【０１４８】
本発明の携帯型の情報処理装置１は、中央処理装置（ＣＰＵ）５０１と、ＤＲＡＭなどのように極めて高速なアクセスが可能な揮発性メモリからなる主記憶装置５０２と、ＦＬＡＳＨＲＯＭやハードディスクなどのように、主記憶装置５０２よりはアクセス速度が低速ではあるが、大容量の不揮発性メモリからなる補助記憶装置５０３と、液晶表示装置などのように各種情報の表示を行う表示手段５０４と、表示手段５０４の上面に重ね合わされて、専用ペンによる文字などの入力を可能にする透明なタッチパネル５０５と、キー操作による文字などの入力を行うキーボード５０６と、キーボード５０６の入力制御を司るキーボード入力制御部５０７と、表示部と本体部との開閉角度を検出する表示部回転状態検出部５０８と、表示部回転状態検出部５０８の検出出力に応答して割り込み制御を行う割り込み制御部装置５０９とを備えている。
【０１４９】
中央処理装置（ＣＰＵ）５０１と、主記憶装置５０２と、補助記憶装置５０３と、表示手段５０４と、タッチパネル５０５と、キーボード入力制御部５０７と、割り込み制御部５０９とは、データバス５１０を介して相互に電気的に接続されており、各種の情報やデータの送受信を行うことが可能である。
【０１５０】
補助記憶装置５０３には、オペレーティングシステムや各種アプリケーションプログラム、タッチパネルからの文字入力を可能とする専用ソフトウェアなどが保存されており、中央処理装置５０１によって必要に応じて読み出される。
【０１５１】
表示部回転状態検出部５０８は、例えば、図３を参照して説明した本発明の第１実施形態におけるロータリースイッチ１１２のような、表示部の開閉角度を検出する検出手段を有している。そして、その検出結果に応じて、割り込み制御装置５０９やキーボード入力制御部５０７に対して指令を出すことができる。
【０１５２】
これにより、表示部の開閉角度が変化して所定の角度に達したら、あらかじめ定めておいた所定の制御や処理を行うことが可能となる。
【０１５３】
例えば、表示部の開閉角度が２７０度以上になったら、本体部のキーボード面を下にして机の上などに置き、ビューワーとして使用しているか、あるいは、本体部と表示部の裏面同士を重ね合わせて使用していると判断する。そして、キーボード５０６からの不所望なキー入力を禁止して誤動作を防止するために、キーボード入力制御部５０７に対して指令を送り、キーボード５０６からの入力を禁止するようにしてもよい。また、同時に、タッチパネル５０５からの文字などの入力を可能とするための専用ソフトウェアを補助記憶装置５０３から読み出すようにしてもよい。
【０１５４】
また、表示部の開閉角度が再び変化して２７０度未満に戻ったら、キーボード入力制御部５０７に対して指令を送り、キーボード５０６からのキー入力を再び可能とするとともに、タッチパネル５０５からの入力を禁止してもよい。
【０１５５】
図１０は、本発明の携帯型の情報処理装置１におけるキーボード制御部と割り込み制御部の回路構成の概略図である。
【０１５６】
ここで、図９と同じ構成要素に該当するものについては同じ符号を付すこととし、以下ではそれ以外の構成要素について説明する。
【０１５７】
図１０に示すように、本発明の携帯型の情報処理装置１におけるキーボード制御部と割り込み制御部は、キーボード５０６と、キーボード制御スイッチ６０３と、表示部回転状態検出部５０８と、割り込みコントローラ６０４とを備えている。
【０１５８】
なお、キーボード制御スイッチ６０３は、図９におけるキーボード入力制御部５０７に該当し、割り込みコントローラ６０４は、図９における割り込み制御装置５０９に該当している。
【０１５９】
キーボード５０６は、キーボード制御スイッチ６０３を介してデータバス５１０に電気的に接続されている。キーボード制御スイッチ６０３は制御入力端子を有しており、制御入力がローレベル信号のときはキーボード５０６とデータバス５１０とを電気的に接続し、制御入力がハイレベル信号のときはキーボード５０６とデータバス５１０とを電気的に遮断する。キーボード制御スイッチ６０３としては、例えば、ＦＥＴなどから構成されるスイッチを使用することが考えられるが、これに限るものではない。
【０１６０】
割り込み制御装置５０９は、割り込みコントローラ６０５を有し、割り込みコントローラの割り込み入力端子の信号の変化に応じて割り込みの制御を行う。
【０１６１】
表示部回転状態検出部５０８は、表示部の開閉角度によってオンまたはオフのいずれかの状態となる表示部開き検出スイッチ６０１を有している。表示部開き検出スイッチ６０１の第１の端子６０１ａはグラウンドに接続されている。表示部開き検出スイッチ６０１の第２の端子６０１ｂはプルアップ抵抗６０５を介して電源電圧ＶＣＣＡに接続されるとともに、表示部開き検出スイッチ６０１のチャタリングを防止するため、コンデンサ６０２を介してグラウンドにも接続されている。さらに、第２の端子６０１ｂは、キーボード制御スイッチ６０３の制御入力端子、および、割り込みコントローラ６０４の割り込み入力端子にも接続されている。
【０１６２】
表示部開き検出スイッチ６０１がオフのとき、表示部開き検出スイッチ６０１の第２の端子６０１ｂはプルアップ抵抗６０５によりハイレベルに保持されている。キーボード制御スイッチ６０３の制御入力にはハイレベル信号が供給されており、キーボード５０６とデータバスとは電気的に遮断されている。そのため、キーボード５０６からのキー入力は一切無効になっている。また、割り込みコントローラ６０４の割り込み入力端子にもハイレベル信号が供給されている。
【０１６３】
表示部の開閉角度が変化して、表示部開き検出スイッチ６０１がオンになると、表示部開き検出スイッチ６０１の第１の端子６０１ａがグラウンドに接続されているので、第２の端子６０１ｂはハイレベルからローレベルに変化する。キーボード制御スイッチ６０３の制御入力にはローレベル信号が供給されるようになり、キーボード５０６とデータバスとが電気的に接続される。そのため、キーボード５０６からのキー入力が可能となる。また、割り込みコントローラ６０４の割り込み入力端子がハイレベルからローレベルに変化したために、割り込みが発生し、所定の割り込み処理が行われることになる。
【０１６４】
割り込み処理としては、例えば、タッチパネル５０５（図９参照）からの文字などの入力を可能とするための専用ソフトウェアを補助記憶装置５０３（図９参照）から読み出して動作させ、タッチパネルからの文字入力を可能にすることなどが考えられるが、これに限るものではない。
【０１６５】
ここで、表示部開き検出スイッチ６０１におけるスイッチの状態と表示部の開閉角度の関係としては、例えば次のように設定してもよい。すなわち、開閉角度が０度以上で２０度未満のときにスイッチはオフで、開閉角度が２０度以上で２７０度未満のときにスイッチはオンで、開閉角度が２７０度以上のときにスイッチはオフとする。このように設定しておくと、表示部の開閉角度が２０度未満、あるいは２７０度以上のときは、キーボードからのキー入力が無効となり、開閉角度が２０度以上で２７０度未満のときにキーボードからのキー入力が可能となる。なお、ここで示した角度は一例であり、これに限るものではない。
【０１６６】
【発明の効果】
以上詳述した通り、本発明の情報処理装置では、情報処理装置を手に持って携帯して使用する場合に、情報処理装置を持つ手の指がキーボードに触れてキートップがへこんでしまうことの違和感を除去することができ、心地よく保持することができる。
【０１６７】
なお、表示部の開閉角度が第１の所定角度以下のとき、および、前記開閉角度が第２の所定角度以上のときに前記キーボードからのキー入力を無効とした場合には、表示部の開閉角度に応じて、キーボードが不要とされるときはキー入力が無効になり、キーボードが必要とされるときはキー入力が有効になる。
【０１６８】
これにより、情報処理装置を手に持って携帯し、タッチパネルからのペン入力だけで使用する場合、あるいは、表示部の表示手段配置面が斜め上方を向くようにして情報処理装置を机の上などに置き、様々な情報を表示するデータビューワーとして使用する場合などに、キーボードから不所望な入力が行われて誤作動が生じることを防止できるとともに、表示部の開閉角度をキーボード使用に好適な角度にしたときには、特に切り替え操作を必要とせずにキーボードを使用することができる。
【０１６９】
なお、表示部の上面に入力装置としてのタッチパネルを備えるようにした場合は、キーボードに代わって文字などを入力することができる。
【０１７０】
これにより、情報処理装置を手に持って携帯して使用するときに、キーボードからの入力ができなくても、タッチパネルからの入力により情報処理装置の操作が可能となる。
【図面の簡単な説明】
【図１】本発明の第１実施形態における携帯型の情報処理装置を表示部正面の斜め上方から見た概観図である。
【図２】本発明の第１実施形態における携帯型の情報処理装置を側面から見た概観図であり、表示部が閉じている状態から徐々に開いて、３６０度回転させた状態になるまでの推移を示している。（ａ）は表示部が閉じている状態を、（ｂ）は表示部の開閉角度が９０度の状態を、（ｃ）は表示部の開閉角度が１８０度の状態を、（ｄ）は表示部の開閉角度が２７０度の状態を、（ｅ）は表示部の開閉角度が３６０度の状態を示している。
【図３】本発明の第１実施形態における携帯型の情報処理装置であり、表示部と本体部とを連結する中間部品部とその周辺とを拡大した概略図である。
【図４】本発明の第１実施形態における携帯型の情報処理装置において、キーボードの各キーの断面を本体部の手前側端部の方向から見た概略図で、（ａ）はキーストロークの深さが最大の状態を、（ｂ）はキーストロークの深さが最小の状態を示している。
【図５】本発明の第１実施形態における携帯型の情報処理装置において、表示部と本体部との開閉角度と、ガイドピンの位置およびキーストロークとの関係を示すグラフである。
【図６】本発明の第２実施形態における携帯型の情報処理装置において、キーボードの各キーの断面を本体部の手前側端部の方向から見た概略図で、（ａ）はキーストロークの深さが最大の状態を、（ｂ）はキーストロークの深さが最小の状態を示している。
【図７】本発明の第３実施形態における携帯型の情報処理装置であり、表示部と本体部との連結部分とその周辺とを拡大した概略図である。
【図８】本発明の第４実施形態における携帯型の情報処理装置において、第１の回転軸から第２の回転軸へ回転を伝達するための構成を示す概略図である。
【図９】本発明の携帯型の情報処理装置におけるシステム構成を示すブロック図である。
【図１０】本発明の携帯型の情報処理装置におけるキーボード制御部と割り込み制御部の回路構成の概略図である。
【図１１】従来技術における、表示部が３６０度回転可能な携帯型の情報処理装置を側面から見た概観図であり、表示部が閉じている状態から徐々に開いて、３６０度回転させた状態になるまでの推移を示している。（ａ）は表示部が閉じている状態を、（ｂ）は表示部の開閉角度が９０度を少し越えた状態を、（ｃ）は表示部の開閉角度が１８０度の状態を、（ｄ）は表示部の開閉角度が２７０度を越えた状態を、（ｅ）は表示部の開閉角度が３６０度の状態を示している。
【図１２】従来技術におけるポップアップ式のキーボードを備えた情報処理装置の概観図であり、表示部を開いた使用時の状態を正面の斜め上方から見た図である。
【図１３】従来技術におけるポップアップ式のキーボードを備えた情報処理装置を側面から見た概観図であり、（ａ）は表示部を閉じた不使用時の状態を、（ｂ）は表示部を開いた使用時の状態を示している。
【符号の説明】
１        情報処理装置（本発明）
１０、３０    情報処理装置（従来技術）
１１、２１、１０１、３０１    表示部
１２、２２、１０２、３０２    本体部
１３、１０３    中間部品部
１４、１０４、３０４、４０４    第１の回転軸
１５、１０５、３０５、４０５    第２の回転軸
２６、１０６、２０６    キーボード
２７、１０７    アングル
１０８    ガイドピン
２９、１０９、２０９    キートップ
１１０    ヒンジ
１１１    支持ピン
１１２    ロータリースイッチ
１１３、２１３    メンブレン
１１４    プレート
２１４ａ  上プレート
２１４ｂ  下プレート
１１５    駆動ピン
１１６    パンタグラフ
２１６    パンタグラフ
２１７    キートップ保持筒
１１８    ドーム型スイッチ
１１９    板バネ
２２０    プレート連結アングル
１２１    第１のギア
１２２    第２のギア
１２３    第１の軸受
１２４    第２の軸受
３２５    フレキシブルシャフト
４３０    第３の回転軸
４３１    第１の傘歯車
４３２    第２の傘歯車
４３３    第３の傘歯車
５０１    中央処理装置（ＣＰＵ）
５０２    主記憶装置
５０３    補助記憶装置
５０４    表示手段
５０５    タッチパネル
５０６    キーボード
５０７    キーボード入力制御部
５０８    表示部回転状態検出部
５０９    割り込み制御装置
５１０    データバス
６０１    表示部開き検出スイッチ
６０１ａ  第１の端子
６０１ｂ  第２の端子
６０２    コンデンサ
６０３    キーボード制御スイッチ
６０４    割り込みコントローラ
６０５    プルアップ抵抗
【図１】
2004227420.tif 000003
【図２】
2004227420.tif 000004
【図３】
2004227420.tif 000005
【図４】
2004227420.tif 000006
【図５】
2004227420.tif 000007
【図６】
2004227420.tif 000008
【図７】
2004227420.tif 000009
【図８】
2004227420.tif 000010
【図９】
2004227420.tif 000011
【図１０】
2004227420.tif 000012
【図１１】
2004227420.tif 000013
【図１２】
2004227420.tif 000014
【図１３】
2004227420.tif 000015